【事件の表示】
　特許第５７６０１９３号発明「照明装置」の特許異議申立事件について、次のとおり決定する。
【結　論】
　特許第５７６０１９３号の明細書、特許請求の範囲を訂正請求書に添付された訂正明細書、特許請求の範囲のとおり、訂正後の請求項〔１−１７〕について訂正することを認める。
　特許第５７６０１９３号の請求項１−９、１４−１７に係る特許を維持する。　
【理　由】
第１．手続の経緯 
　特許第５７６０１９３号の請求項１〜１７に係る特許についての出願は、平成２７年６月１９日に特許権の設定登録がされ、その後、特許異議申立人特許業務法人プロテック（以下「特許異議申立人」という。）より請求項１〜９、１４〜１７に係る特許に対して特許異議の申立てがなされ、平成２８年４月２５日付けで取消理由が通知され、その指定期間内である同年７月７日に訂正請求がなされ、同年９月９日に補正対象書類名を訂正請求書とする手続補正書が提出され、同年９月１５日付で訂正請求があった旨が通知され（特許法第１２０条の５第５項）、同年１０月１７日付けで特許異議申立人より意見書が提出され、平成２９年１月２５日付けで取消理由（決定の予告）が通知され、その指定期間内である同年３月２９日に訂正請求がなされ、同年４月１８日に補正対象書類名を訂正請求書とする手続補正書及び意見書が提出され、同年５月１２日付で訂正請求があった旨が通知され（特許法第１２０条の５第５項）、同年６月１４日付けで特許異議申立人より意見書が提出されたものである。 
　なお、平成２８年７月７日になされた訂正請求（同年９月９日に提出された手続補正書により補正されている。）は、特許法第１２０条の５第７項の規定により取り下げられたものとみなす。 
第２．訂正の適否について 
１．訂正の内容 
　平成２９年３月２９日になされた訂正請求（同年４月１８日に提出された手続補正書により補正されている。）による訂正（以下「本件訂正請求」という。）の内容は、次のとおりである（下線部は訂正箇所を示すものである。）。 
（１）訂正事項１  
　特許請求の範囲の請求項１を以下のように訂正する。 
【訂正前】 
「透光性の基板上に透明導電膜から成る陽極、発光層及び透明導電膜から成る陰極を順に積層して成る透明のＥＬ素子で構成した複数の透明ＥＬパネルと、前記複数の透明ＥＬパネルの光出射領域が互いに重なり合うように前記透明ＥＬパネルを保持する器具本体と、を備え、複数の透明ＥＬパネルの出射光が重合した光を照射することを特徴とする照明装置。」
【訂正後】 
「透光性の基板上に透明導電膜から成る陽極、発光層及び透明導電膜から成る陰極を順に積層して成る透明のＥＬ素子
がパネル枠に組み込まれて構成された
、
　前記複数の透明ＥＬパネルは、前記器具本体に対して互いに着脱自在となるよう構成され、重ね合わされたときに、各透明ＥＬパネルの出射光を重合した光を照射し、 
　各々の前記透明ＥＬパネルは、前記パネル枠の一方の面に陽極端子及び陰極端子が、前記パネル枠の他方の面に前記陽極端子及び陰極端子に夫々対応する端子受け部が設けられている
  
（２）訂正事項２ 
　願書に添付した明細書の段落【０００８】を以下のとおり訂正する。 
【訂正前】 
「上記課題を解決するため、本発明は、透光性の基板上に透明導電膜から成る陽極、発光層及び透明導電膜から成る陰極を順に積層して成る透明のＥＬ素子で構成した複数の透明ＥＬパネルと、前記複数の透明ＥＬパネルの光出射領域が互いに重なり合うように前記透明ＥＬパネルを保持する器具本体と、を備え、複数の透明ＥＬパネルの出射光が重合した光を照射することを特徴とする。」 
【訂正後】 
「上記課題を解決するため、本発明は、透光性の基板上に透明導電膜から成る陽極、発光層及び透明導電膜から成る陰極を順に積層して成る透明のＥＬ素子
がパネル枠に組み込まれて構成された
、前記複数の透明ＥＬパネルは、前記器具本体に対して互いに着脱自在となるよう構成され、重ね合わされたときに、各透明ＥＬパネルの出射光を重合した光を照射し、各々の前記透明ＥＬパネルは、前記パネル枠の一方の面に陽極端子及び陰極端子が、前記パネル枠の他方の面に前記陽極端子及び陰極端子に夫々対応する端子受け部が設けられている
  
（３）訂正事項３  
　特許請求の範囲の請求項２を以下のように訂正する。 
【訂正前】 
「前記複数の透明ＥＬパネルは、互いに着脱自在となるよう構成され、重ね合わされたときに、各透明ＥＬパネルの出射光を重合した光を照射することを特徴とする請求項１に記載の照明装置。」 
【訂正後】 
「
前記陽極端子及び陰極端子は、凸形状に夫々形成され、前記陽極端子及び陰極端子に夫々対応する前記端子受け部は、凹形状に夫々形成されている
  
（４）訂正事項４  
　願書に添付した明細書の段落【０００９】を以下のとおり訂正する。 
【訂正前】 
「上記照明装置において、前記複数の透明ＥＬパネルは、互いに着脱自在となるよう構成され、重ね合わされたときに、各透明ＥＬパネルの出射光を重合した光を照射することが好ましい。」 
【訂正後】 
「上記照明装置において、
前記陽極端子及び陰極端子は、凸形状に夫々形成され、前記陽極端子及び陰極端子に夫々対応する前記端子受け部は、凹形状に夫々形成されている
  
（５）訂正事項５  
　特許請求の範囲の請求項３を以下のように訂正する。 
【訂正前】 
「前記透明ＥＬパネルは、一方の面に陽極及び陰極端子が、他方の面に前記陽極及び陰極端子に夫々対応する端子受け部が設けられていることを特徴とする請求項２に記載の照明装置。」 
【訂正後】 
「
前記陽極端子及び陰極端子は、互いに異なる形状に形成され、前記陽極端子及び陰極端子に夫々対応する前記端子受け部は、前記陽極端子及び陰極端子に夫々対応する形状に形成されている
   
（６）訂正事項６  
　願書に添付した明細書の段落【００１０】を以下のとおり訂正する。 
【訂正前】 
「上記照明装置において、前記透明ＥＬパネルは、一方の面に陽極及び陰極端子が、他方の面に前記陽極及び陰極端子に夫々対応する端子受け部が設けられていることが好ましい。」 
【訂正後】 
「上記照明装置において、
前記陽極端子及び陰極端子は、互いに異なる形状に形成され、前記陽極端子及び陰極端子に夫々対応する前記端子受け部は、前記陽極端子及び陰極端子に夫々対応する形状に形成されている
  
（７）訂正事項７ 
　特許請求の範囲の請求項８を以下のように訂正する。 
【訂正前】 
「前記複数の透明ＥＬパネルは、折り畳み自在に連結され、重ね合わされたときに、各透明ＥＬパネルの出射光を重合した光を照射することを特徴とする請求項１に記載の照明装置。」 
【訂正後】 
「
透光性の基板上に透明導電膜から成る陽極、発光層及び透明導電膜から成る陰極を順に積層して成る透明のＥＬ素子で構成した複数の透明ＥＬパネルと、前記複数の透明ＥＬパネルの光出射領域が互いに重なり合うように前記透明ＥＬパネルを保持する器具本体と、を備え、 
　前記複数の透明ＥＬパネルは、折り畳み自在に連結され、重ね合わされたときに、各透明ＥＬパネルの出射光を重合した光を照射することを特徴とす
る照
  
（８）訂正事項８  
　願書に添付した明細書の段落【００１５】を以下のとおり訂正する。 
【訂正前】 
「上記照明装置において、前記複数の透明ＥＬパネルは、折り畳み自在に連結され、重ね合わされたときに、各透明ＥＬパネルの出射光を重合した光を照射することが好ましい。」 
【訂正後】 
「
本発明は、透光性の基板上に透明導電膜から成る陽極、発光層及び透明導電膜から成る陰極を順に積層して成る透明のＥＬ素子で構成した複数の透明ＥＬパネルと、前記複数の透明ＥＬパネルの光出射領域が互いに重なり合うように前記透明ＥＬパネルを保持する器具本体と、を備え、
を特徴とする。
  
（９）訂正事項９ 
　特許請求の範囲の請求項９を以下のように訂正する。 
【訂正前】 
「前記複数の透明ＥＬパネルは、前記器具本体に対して、回動自在に保持され、重ね合わされたときに、各透明ＥＬパネルの出射光を重合した光を照射することを特徴とする請求項１に記載の照明装置。」 
【訂正後】 
「
透光性の基板上に透明導電膜から成る陽極、発光層及び透明導電膜から成る陰極を順に積層して成る透明のＥＬ素子で構成した複数の透明ＥＬパネルと、前記複数の透明ＥＬパネルの光出射領域が互いに重なり合うように前記透明ＥＬパネルを保持する器具本体と、を備え、
　前記複数の透明ＥＬパネルは、前記器具本体に対して、回動自在に保持され、重ね合わされたときに、各透明ＥＬパネルの出射光を重合した光を照射することを特徴とす
る照
  
（１０）訂正事項１０  
　願書に添付した明細書の段落【００１６】を以下のとおり訂正する。 
【訂正前】 
「上記照明装置において、前記複数の透明ＥＬパネルは、前記器具本体に対して、回動自在に保持され、重ね合わされたときに、各透明ＥＬパネルの出射光を重合した光を照射することが好ましい。」 
【訂正後】 
「
本発明は、透光性の基板上に透明導電膜から成る陽極、発光層及び透明導電膜から成る陰極を順に積層して成る透明のＥＬ素子で構成した複数の透明ＥＬパネルと、前記複数の透明ＥＬパネルの光出射領域が互いに重なり合うように前記透明ＥＬパネルを保持する器具本体と、を備え、
を特徴とする。
  
（１１）訂正事項１１ 
　特許請求の範囲の請求項１０を以下のように訂正する。 
【訂正前】 
「前記複数の透明ＥＬパネルは、互いにスライド自在に構成され、重ね合わされたときに、各透明ＥＬパネルの出射光を重合した光を照射することを特徴とする請求項１に記載の照明装置。」 
【訂正後】 
「
透光性の基板上に透明導電膜から成る陽極、発光層及び透明導電膜から成る陰極を順に積層して成る透明のＥＬ素子で構成した複数の透明ＥＬパネルと、前記複数の透明ＥＬパネルの光出射領域が互いに重なり合うように前記透明ＥＬパネルを保持する器具本体と、を備え、
　前記複数の透明ＥＬパネルは、互いにスライド自在に構成され、重ね合わされたときに、各透明ＥＬパネルの出射光を重合した光を照射することを特徴とす
る照
  
（１２）訂正事項１２ 
　願書に添付した明細書の段落【００１７】を以下のとおり訂正する。 
【訂正前】 
「上記照明装置において、前記複数の透明ＥＬパネルは、互いにスライド自在に構成され、重ね合わされたときに、各透明ＥＬパネルの出射光を重合した光を照射することが好ましい。」 
【訂正後】 
「
本発明は、透光性の基板上に透明導電膜から成る陽極、発光層及び透明導電膜から成る陰極を順に積層して成る透明のＥＬ素子で構成した複数の透明ＥＬパネルと、前記複数の透明ＥＬパネルの光出射領域が互いに重なり合うように前記透明ＥＬパネルを保持する器具本体と、を備え、
を特徴とする。
２．訂正の目的の適否、新規事項の有無、一群の請求項及び特許請求の範囲の拡張・変更の存否  
（１）訂正事項１は、請求項１に記載された発明を特定するために必要な事項である「透明ＥＬパネル」に関し、訂正前の請求項２及び請求項３の発明特定事項を付加して限定するとともに、「
前記器具本体に対して
がパネル枠に組み込まれて構成された
  
（２）訂正事項２は、上記訂正事項１に係る訂正に伴って、特許請求の範囲の記載と発明の詳細な説明の記載との整合を図るものであるから、明瞭でない記載の釈明を目的とするものであって、新規事項の追加に該当せず、また、実質上特許請求の範囲を拡張し、又は変更するものではない。 
   
（３）訂正事項３は、請求項２に記載された発明を特定するために必要な事項である「透明ＥＬパネル」に関し、願書に添付した明細書の段落【００２９】の「パネル枠２１には、一方の面に陽極端子２２ａ及び陰極端子２２ｂが、他方の面に陽極端子２２ａ及び陰極端子２２ｂに夫々対応する端子受け部２３ａ，２３ｂが設けられる。各端子２２ａ，２２ｂは凸形状に、また、端子受け部２３ａ，２３ｂは凹形状に形成され、各端子２２ａ，２２ｂが端子受け部２３ａ，２３ｂに嵌まり込むことにより、ＥＬパネル２同士が電気的に接続される。」との記載に基づき限定を加えるものであるから、特許請求の範囲の減縮を目的とするものであって、新規事項の追加に該当せず、また、実質上特許請求の範囲を拡張し、又は変更するものではない。 
  
（４）訂正事項４は、上記訂正事項３に係る訂正に伴って、特許請求の範囲の記載と発明の詳細な説明の記載との整合を図るものであるから、明瞭でない記載の釈明を目的とするものであって、新規事項の追加に該当せず、また、実質上特許請求の範囲を拡張し、又は変更するものではない。 
  
（５）訂正事項５は、請求項３に記載された発明を特定するために必要な事項である「陽極及び陰極端子」に関し、願書に添付した明細書の段落【００２９】の「陽極端子２２ａと陰極端子２２ｂとは、夫々異なる形状に形成されており、陽極端子２２ａは、陰極用の端子受け部２３ｂに嵌まり込まないように、陰極端子２２ｂは、陽極用の端子受け部２３ａに嵌まり込まないように構成されている。」との記載に基づき限定を加えるものであるから、特許請求の範囲の減縮を目的とするものであって、新規事項の追加に該当せず、また、実質上特許請求の範囲を拡張し、又は変更するものではない。 
  
（６）訂正事項６は、上記訂正事項５に係る訂正に伴って、特許請求の範囲の記載と発明の詳細な説明の記載との整合を図るものであるから、明瞭でない記載の釈明を目的とするものであって、新規事項の追加に該当せず、また、実質上特許請求の範囲を拡張し、又は変更するものではない。 
  
（７）訂正事項７、９、１１は、引用関係の解消を目的とするものであり、新規事項の追加に該当せず、実質上特許請求の範囲を拡張し、又は変更するものではない。 
  
（８）訂正事項８、１０、１２は、上記訂正事項７、９、１１に係る訂正に伴って、特許請求の範囲の記載と発明の詳細な説明の記載との整合を図るものであるから、明瞭でない記載の釈明を目的とするものであり、新規事項の追加に該当せず、また、実質上特許請求の範囲を拡張し、又は変更するものではない。 
  
（９）一群の請求項について 
　訂正事項１、３、５、７、９、１１に係る訂正前の請求項１〜１７について、請求項２〜１７は、請求項１を引用するものであるから、請求項１〜１７は一群の請求項である。そして本件訂正請求は、かかる一群の請求項ごとにされたものであるから、特許法第１２０条の５第４項に適合するものである。 
（１１）明細書の訂正について 
　訂正事項２、４、６、８、１０、１２の明細書の訂正は、請求項１〜１７に関係するものであり、本件訂正請求は、請求項１〜１７の全てを対象とするものであるから、特許法第１２０条の５第９項で準用する第１２６条第４項に適合するものである。 
  
３．小括 
　したがって、上記訂正請求による訂正事項１〜１２は、特許法第１２０条の５第２項ただし書き第１号、第３号又は４号に掲げる事項を目的とするものであり、かつ、同条第４項及び同条第９項で準用する同法第１２６条第４項から第６項の規定に適合するので、訂正後の請求項〔１〜１７〕についての訂正を認める。 
 　  
第３．特許異議申立てについて
１．本件発明  
　本件訂正請求により訂正された請求項１〜１７に係る発明（以下「本件特許発明１〜１７」という。）は、訂正請求書に添付された訂正特許請求の範囲の請求項１〜１７に記載した事項により特定される次のとおりのものであ。　  
 「【請求項１】 
　透光性の基板上に透明導電膜から成る陽極、発光層及び透明導電膜から成る陰極を順に積層して成る透明のＥＬ素子がパネル枠に組み込まれて構成された複数の透明ＥＬパネルと、前記複数の透明ＥＬパネルの光出射領域が互いに重なり合うように前記透明ＥＬパネルを保持する器具本体と、を備え、
　前記複数の透明ＥＬパネルは、前記器具本体に対して互いに着脱自在となるよう構成され、重ね合わされたときに、各透明ＥＬパネルの出射光を重合した光を照射し、 
　各々の前記透明ＥＬパネルは、前記パネル枠の一方の面に陽極端子及び陰極端子が、前記パネル枠の他方の面に前記陽極端子及び陰極端子に夫々対応する端子受け部が設けられていることを特徴とする照明装置。
【請求項２】 
　前記陽極端子及び陰極端子は、凸形状に夫々形成され、前記陽極端子及び陰極端子に夫々対応する前記端子受け部は、凹形状に夫々形成されていることを特徴とする請求項１に記載の照明装置 
【請求項３】 
　前記陽極端子及び陰極端子は、互いに異なる形状に形成され、前記陽極端子及び陰極端子に夫々対応する前記端子受け部は、前記陽極端子及び陰極端子に夫々対応する形状に形成されていることを特徴とする請求項２に記載の照明装置。 
【請求項４】 
　前記器具本体は、前記複数の透明ＥＬパネルを収容する筐体を備えることを特徴とする請求項２又は請求項３に記載の照明装置。 
【請求項５】 
　前記筐体は、該筐体の内面に設けた溝部に押さえ部材が嵌め込まれ、該押さえ部材が、前記透明ＥＬパネルを前記溝部で保持することを特徴とする請求項４に記載の照明装置。 
【請求項６】 
　前記器具本体は、前記透明ＥＬパネルに対向する部分が、光反射性を有することを特徴とする請求項２乃至請求項５のいずれか一項に記載の照明装置。 
【請求項７】 
　光反射層を有するＥＬパネルを更に備え、該光反射層を有するＥＬパネルが、重ね合わされた前記複数の透明ＥＬパネルの最外部に配置されることを特徴とする請求項２乃至請求項５のいずれか一項に記載の照明装置。 
【請求項８】 
　透光性の基板上に透明導電膜から成る陽極、発光層及び透明導電膜から成る陰極を順に積層して成る透明のＥＬ素子で構成した複数の透明ＥＬパネルと、前記複数の透明ＥＬパネルの光出射領域が互いに重なり合うように前記透明ＥＬパネルを保持する器具本体と、を備え、 
　前記複数の透明ＥＬパネルは、折り畳み自在に連結され、重ね合わされたときに、各透明ＥＬパネルの出射光を重合した光を照射することを特徴とする照明装置。 
【請求項９】 
　透光性の基板上に透明導電膜から成る陽極、発光層及び透明導電膜から成る陰極を順に積層して成る透明のＥＬ素子で構成した複数の透明ＥＬパネルと、前記複数の透明ＥＬパネルの光出射領域が互いに重なり合うように前記透明ＥＬパネルを保持する器具本体と、を備え、 
　前記複数の透明ＥＬパネルは、前記器具本体に対して、回動自在に保持され、重ね合わされたときに、各透明ＥＬパネルの出射光を重合した光を照射することを特徴とする照明装置。 
【請求項１０】
　透光性の基板上に透明導電膜から成る陽極、発光層及び透明導電膜から成る陰極を順に積層して成る透明のＥＬ素子で構成した複数の透明ＥＬパネルと、前記複数の透明ＥＬパネルの光出射領域が互いに重なり合うように前記透明ＥＬパネルを保持する器具本体と、を備え、 
　前記複数の透明ＥＬパネルは、互いにスライド自在に構成され、重ね合わされたときに、各透明ＥＬパネルの出射光を重合した光を照射することを特徴とする照明装置。
【請求項１１】
　前記器具本体は、前記透明ＥＬパネルのスライド方向に直交する方向に複数並設されたスライド溝を備えることを特徴とする請求項１０に記載の照明装置。
【請求項１２】
　前記透明ＥＬパネルが、スライド扉の窓部に配設されていることを特徴とする請求項１０又は請求項１１に記載の照明装置。
【請求項１３】
　前記透明ＥＬパネルによって引き戸が構成されていることを特徴とする請求項１０又は請求項１１に記載の照明装置。
【請求項１４】 
　前記複数の透明ＥＬパネルを個別に点灯制御する制御部を備えることを特徴とする請求項１乃至請求項１３のいずれか一項に記載の照明装置。 
【請求項１５】 
　前記複数の透明ＥＬパネルは、夫々発光色が異なることを特徴とする請求項１乃至請求項１４のいずれか一項に記載の照明装置。 
【請求項１６】 
　前記複数の透明ＥＬパネルの発光色は、ＲＧＢ三原色を含むことを特徴とする請求項１乃至請求項１５のいずれか一項に記載の照明装置。 
【請求項１７】 
　前記複数の透明ＥＬパネルは、発光面の面積が互いに異なることを特徴とする請求項１乃至請求項１６のいずれか一項に記載の照明装置。」 
２．取消理由の概要  
　訂正前の請求項１〜９、１４〜１７に係る特許に対して平成２９年１月２５日付けで特許権者に通知した取消理由（決定の予告）の要旨は、次のとおりである。 
　本件の請求項１、２、４、６、７、１４〜１７に係る発明は、刊行物１に記載されている発明及び刊行物２に記載されている事項に基いて、その出願前にその発明の属する技術の分野における通常の知識を有する者（以下「当業者」という。）が容易に発明をすることができたものである。
  　　　　　　　　　　　　　　　　記  
刊行物１：特開２００５−１９０７６８号公報（甲第１号証）  
刊行物２：特開２００７−３３５１４６号公報（甲第２号証） 
３．刊行物の記載事項  
（１）刊行物１には、次の事項が図面と共に記載されている。（下線は当審で付与した。以下同様。）  
（１ａ）「【０００１】 
　本発明は、
有機電界発光素子を用いた照明装置
  
（１ｂ）「【０００３】 
　本発明は、上記要求に鑑みなされたものであり、照度を自由に設定可能な、有機電界発光素子を用いた新規な構成の照明装置を提供することをその課題とする。」  
  
（１ｃ）「【００１５】 
《第一の照明装置》 
　図１に、第一の照明装置１０の断面構成を示す断面模式図を示す。図１に示すように、第一の照明装置１０は、第一の有機エレクトロルミネッセンスデバイスとしての有機エレクトロルミネッセンスデバイス（以下、適宜「有機ＥＬデバイス」と表記する。）１１を備え、
有機ＥＬデバイス１１の光取出側に、第二の有機エレクトロルミネッセンスデバイスとしての有機ＥＬデバイス１２及び有機ＥＬデバイス１３を備える。また、第一の照明装置１０は、その外部を覆う筐体１４を備える。 
【００１６】 
　有機ＥＬデバイス１１は、透明基板１１０の一方の面に有機エレクトロルミネッセンス素子（以下、適宜「有機ＥＬ素子」と表記する。）１１１が設けられたボトムエミッション型のデバイスである。 
　有機ＥＬデバイス１２は、透明基板１２０の一方の面に有機ＥＬ素子１２１が設けられたボトムエミッション型のデバイスであり、有機ＥＬデバイス１１の光取出側に配置されている。 
　有機ＥＬデバイス１３は、透明基板１３０の一方の面に有機ＥＬ素子１３１が設けられたボトムエミッション型のデバイスであり、有機ＥＬデバイス１１及び有機ＥＬデバイス１２の光取出側に設けられる。 
【００１７】 
　
図１における矢印Ｈ１１は、有機ＥＬデバイス１１における透明基板１１０が有機ＥＬ素子１１１と接する面（以下、適宜「ＥＬ面」と表記する。）の法線であり、矢印が示す方向は、有機ＥＬデバイス１１の光が発せられる方向を示す。
　
図１における矢印Ｈ１２及びＨ１３は、それぞれ、有機ＥＬデバイス１２、１３の光出射方向を示す。
【００１８】 
　
有機ＥＬデバイス１１、１２及び１３は、それぞれ、電圧が印加されることで、有機ＥＬ素子１１１、１２１及び１３１から光が発せられる。 
　なお、有機ＥＬデバイス１１、１２及び１３（有機ＥＬ素子１１１、１２１及び１３１）は、
同一の駆動回路と接続していてもよい。また、互いに並列に接続されていてもよく
【００１９】 
　筐体１４は、装置外部を覆い、最も光取出側に設けられた第二の有機ＥＬデバイスである有機ＥＬデバイス１３から出射された光を装置外部へ取り出すための機構である窓部１４１を備える。窓部１４１は、有機ＥＬデバイス１３から「出射された」光を取り出す機構であるため、有機ＥＬデバイス１３の有機ＥＬ素子１３１から「発せられた」光のみならず、好ましくは、有機ＥＬデバイス１１や１２から「発せられた」光も透過できる位置に設けられる。例えば図１に示すように、
各透明基板１１０、１２０及び１３０
  
（１ｄ）「【００２７】 
　また、従来の照明装置では、実現できない照度を実現できる。 
　従来は、求められている輝度を発することのできる有機ＥＬデバイスが実在しない場合には、新規な有機発光材料等を開発したり、新規な素子構造を開発したりするなどしなければならなかった。 
　これに対して、
照明装置１０は、求められている照度を実現するためには、第二の有機ＥＬデバイスの数を変更するだけでよい。これは、有機ＥＬデバイスが、透明基板及び透明な有機ＥＬ素子で構成されているため、すべての有機ＥＬデバイスから発せられた光を窓部１４１から装置外部へ出射できるからである
  
（１ｅ）「【００２９】 
　　（効果２：種々の色を表現できる） 
　照明装置１０は、各有機ＥＬデバイスは、他の少なくとも一つの有機ＥＬデバイスと、発する色の色度が異なるようにすることで、一つの有機ＥＬデバイスのみを用いた照明装置では表現することの難しい色を表現することができる。 
　例えば、有機ＥＬデバイス１１から赤色の光を発するようにし、有機ＥＬデバイス１２から緑色の光を発するようにし、有機ＥＬデバイス１３から青色の光を発するようにし、各デバイスから発せられる光の量を調整すれば、窓部１４１から照明装置１０外部へ出射される光の色を白色にすることができる。 
　当然、他の色を表現することもできる。また、各有機ＥＬデバイスが同一の色の光を発するようにしてもよい。 
【００３０】 
　　（効果３：使用不能になりにくい、修理が容易） 
　照明装置１０は、一つ若しくは複数の有機ＥＬデバイスが壊れるなどしても、実質的に照明装置として機能することができる。 
　例えば、一つ若しくは複数の有機ＥＬデバイスが光を発しなくなってしまったとしても、他の有機ＥＬデバイスが光を発することができれば、照明装置として実質的に機能することができる。また、
光を発しなくなってしまった有機ＥＬデバイスのみを交換
  
（１ｆ）「【００３４】 
　（変形例１：筐体１４の内側に光反射性能を有する部材を設ける） 
　例えば、鏡面１４の内側に光反射性能を有する部材（光反射手段）を設けるとよい。
これにより、有機ＥＬデバイスから窓部１４１方向へ向かわなかった光の一部又は全部を、窓部１４１へ進ませ、窓部１４１から照明装置１０外部へ出射させることが可能となる
【００３５】 
　光反射手段は、公知の手段を採用すればよく、これを筐体１４内に配置すればよい。 
　例えば、筐体１４の内側の一部又は全面を鏡面としてもよい。このように鏡面とするには、筐体１４とされた際に光反射性能を有する材料によって筐体１４を構成したり、光反射性能を有する金属や樹脂などの部材を筐体１４の内側に貼り合わせたり蒸着させたりするなどすればよい。」  
  
（１ｇ）「【００４１】 
　　（変形例３：有機ＥＬデバイスの一つ若しくは複数を、他のデバイスとは別個に点灯／非点灯制御できるようにする） 
　有機ＥＬデバイスのうちの一つ若しくは複数を、他のデバイスとは別個に点灯／非点灯できるようにすれば、照明装置１０から出射される光の量を調整することが可能となる。なお、各有機ＥＬデバイスの点灯／非点灯をそれぞれ制御できるようにしてもよい。また、一つ若しくは複数の有機ＥＬデバイスに印加する電圧の大きさを調整できるようにしてもよい。」 
  
（１ｈ）「【００７０】 
　　（有機ＥＬ素子１１１、１２１、１３１） 
　
有機ＥＬ素子１１１、１２１及び１３１は、透明電極と背面電極との間に、両電極に電圧が印加されることで発光する有機発光材料を含有する有機層が狭持された構成であり、公知の有機ＥＬ素子における公知の層構成及び公知の材料の層にすればよく
【００７１】 
　第二の有機ＥＬデバイスである有機ＥＬ素子１２１及び１３１の
背面電極は透明である
　第一の有機ＥＬデバイスである有機ＥＬ素子１１１の透明電極は、背面電極よりも光取出側（窓部１４１側）となるように設けられる必要がある。また、
有機ＥＬ素子１１１の背面電極を光反射性電極とすれば、各有機ＥＬデバイスから、窓部１４１とは反対方向へ発せられた光を窓部１４１側へ進ませることが可能となる。
　まず、有機層について説明する。」  
  
（１ｉ）「【００７８】 
　電子注入輸送層は、
陰極（本例では背面電極４２）
  
（１ｊ）「【００８０】 
　
透明電極は、一方が陽極
  
（１ｋ）「【００８１】 
　
陽極形成用の材料としては、
　これらの材料の内、金属や合金等を用いる場合には、光を透過できるようにするために
十分薄く成膜する必要がある。
  
（１ｌ）「【００９１】 
　
陰極は、
薄膜成膜法によって形成できる。
　次に、有機ＥＬ素子に設けてもよいその他の層について説明する。」 
  
（１ｍ）「【０１０７】 
《第三の照明装置３０》 
　第三の照明装置３０は、光取出側に設けられた有機ＥＬデバイスほど、有機ＥＬ素子の面積が広くなるようにされている点以外は、第一の照明装置と同様に構成でき、また、同様に変形することができる。」 
  
（２）刊行物２には、次の事項が図面と共に記載されている。 
（２ａ）「【０００１】 
　本発明は、
複数の発光パネルで構成される発光パネルシステム
 
（２ｂ）「【０００５】 
　本発明は、このような事情に鑑み、簡単に各発光パネルの電気的な導通を図ることができ、かつ、良好な外観を得ることができる発光パネルシステムを提供することを目的とする。」 
  
（２ｃ）「【００１１】 
　図１に、本発明の一実施形態に係る発光パネルシステム１Ａを示す。なお、本実施形態では、図１の左右方向を左右方向、図１の上下方向を前後方向として説明する。 
【００１２】 
　
発光パネルシステム１Ａは、左右方向に並んで配置される複数（図１では２つ）の発光パネル２Ａを備えている。
【００１３】 
　前記各発光パネル２Ａは、図２に示すように、隣り合う発光パネル２Ａが合決り状に連結できるように、所定の厚み（例えば２〜３ｃｍ程度）を有するパネル部分の下端部から右方に突出する第１張り出し部４ａと、前記パネル部分の上端部から左方に突出する第２張り出し部５ａとを備えており、隣り合う発光パネル２Ａの第１張り出し部４ａと第２張り出し部５ａとが上下に重なり合うようになっている。 
【００１４】 
　第１張り出し部４ａの上面には陽極端子６Ｂおよび陰極端子７Ｂが、第２張り出し部５ａの下面には陽極端子６Ａおよび陰極端子７Ａがそれぞれ前後に並んで設けられている。これらの陽極端子６Ａ，６Ｂ同士および陰極端子７Ａ，７Ｂ同士は、左右方向に延びる直線上に並ぶ位置に設けられており、隣り合う発光パネル２Ａの第１張り出し部４ａと第２張り出し部５ａとが重ね合わされたときに、
陽極端子６Ａ，６Ｂ同士および陰極端子７Ａ，７Ｂ同士が接触するようになっている。
　具体的には、
前記各発光パネル２Ａは、図３に示すように、透明基板４と、この透明基板４の上面に配置される発光素子３と、この発光素子３を覆うカバー体５とを有している。
【００１６】 
　前記透明基板４は、例えばガラス等で構成されており、前後方向の寸法（例えば３０ｃｍ）よりも左右方向の寸法が僅かに長い矩形板状をなしている。 
【００１７】 
　
前記発光素子３は、有機ＥＬを利用したものであり
  
（２ｄ）「【００２１】
　
前記カバー体５は、
下方に開口する容器状の本体部５ｂを有している。
（２ｅ）「【００２４】 
　
前記陽極端子６Ａおよび陰極端子７Ａは、
正面視で略Ｌ字状をなしている。
一方、前記陽極端子６Ｂおよび陰極端子７Ｂは、上方に突となる形状に形成されていて、下方に押圧されると弾性変形するようになっている。
【００２５】 
　なお、陽極端子６Ａ，６Ｂ同士および陰極端子７Ａ，７Ｂ同士は、少なくとも一方が弾性変形しながら接触するようになっていればよく、陽極端子６Ａおよび陰極端子７Ａも下方に突となる形状に形成されていてもよいし、陽極端子６Ａおよび陰極端子７Ａのみが下方に突となる形状に形成されていてもよい。」 
  
（２ｆ）「【００３２】 
　また、
前記実施形態では、発光素子３が並列接続されるようになっている
  
４．刊行物１に記載された発明 
　刊行物１の上記記載事項（１ａ）〜（１ｍ）から、以下の事項が認定できる。 
  
・記載事項（１ｈ）の段落【００７０】の「有機ＥＬ素子１１１、１２１及び１３１は、透明電極と背面電極との間に、両電極に電圧が印加されることで発光する有機発光材料を含有する有機層が狭持された構成であり」との記載、段落【００７１】の「有機ＥＬ素子１１１の透明電極は、背面電極よりも光取出側（窓部１４１側）となるように設けられる必要がある。」との記載、及び【図１】に示された透明基板１１０，１２０，１３０と有機ＥＬ素子１１１，１２１，１３１の配置関係から、有機ＥＬ素子１１１，１２１，１３１は、透明基板１１０，１２０，１３０上に陽極である透明電極、発光層及び陰極である透明な背面電極を順に積層して成ることが理解できる。 
  
・記載事項（１ｃ）の段落【００１７】の記載内容及び【図１】の図示内容から、照明装置１０は、複数の有機ＥＬデバイス１１，１２，１３の光出射領域が互いに重なり合い、該複数の有機ＥＬデバイス１１，１２，１３の出射光が重合した光を照射するものといえる。また、（１ｄ）の段落【００２７】の「照明装置１０は、求められている照度を実現するためには、第二の有機ＥＬデバイスの数を変更するだけでよい。これは、有機ＥＬデバイスが、透明基板及び透明な有機ＥＬ素子で構成されているため、すべての有機ＥＬデバイスから発せられた光を窓部１４１から装置外部へ出射できるからである。」との記載から、前記複数の有機ＥＬデバイス１１，１２，１３の数を変更できるように構成され、重ね合わされたときに、各有機ＥＬデバイス１１，１２，１３の出射光を重合した光を照射することが理解できる。 
  
 　以上の記載事項（１ａ）〜（１ｍ）、上記認定事項及び図示内容を総合すると、刊行物１には、次の発明（以下「刊行物発明」という。）が記載されていると認められる。 
  
「透明基板１１０，１２０，１３０上に陽極である透明電極、発光層及び陰極である透明な背面電極を順に積層して成る有機ＥＬ素子１１１，１２１，１３１で構成した複数の有機ＥＬデバイス１１，１２，１３と、前記複数の有機ＥＬデバイス１１，１２，１３の光出射領域が互いに重なり合うように前記有機ＥＬデバイス１１，１２，１３を所定の位置に固定する筐体１４と、を備え、 
　前記複数の有機ＥＬデバイス１１，１２，１３の数を変更できるように構成され、重ね合わされたときに、各有機ＥＬデバイス１１，１２，１３の出射光を重合した光を照射し、
　有機ＥＬデバイス１１，１２，１３は、同一の駆動回路と接続し、互いに並列に接続されている照明装置１０。」  
 
５．対比・判断  
（１）取消理由通知に記載した取消理由について
ア　本件特許発明１について  
（ア）対比  
　本件特許発明１と刊行物発明とを対比すると、その意味、機能または構造からみて、  
・後者の「透明基板１１０，１２０，１３０」は前者の「透光性の基板」に相当する。 
・後者の「陽極である透明電極」及び「陰極である透明な背面電極」は、記載事項（１ｋ）及び記載事項（１ｌ）に、金属や合金等を成膜することで形成することが記載されているから、前者の「透明導電膜から成る陽極」及び「透明導電膜から成る陰極」に相当する。 
・後者の「発光層」は前者の「発光層」に相当する。 
・後者の「有機ＥＬデバイス１１，１２，１３」は、記載事項（１ｃ）の段落【００１７】の記載内容及び【図１】を参酌すると透明であるから、それを構成する「有機ＥＬ素子１１１，１２１，１３１」も透明である。そうすると、後者の「有機ＥＬ素子１１１，１２１，１３１で構成した複数の有機ＥＬデバイス１１，１２，１３」は前者の「透明のＥＬ素子で構成した複数の透明ＥＬパネル」に相当する。 
・後者の「有機ＥＬデバイス１１，１２，１３を所定の位置に固定する筐体１４」は前者の「透明ＥＬパネルを保持する器具本体」に相当し、後者の「照明装置１０」は前者の「照明装置」に相当する。  
・後者の「前記複数の有機ＥＬデバイス１１，１２，１３の数を変更できるように構成され、重ね合わされたときに、各有機ＥＬデバイス１１，１２，１３の出射光を重合した光を照射し」と前者の「前記複数の透明ＥＬパネルは、互いに着脱自在となるよう構成され、重ね合わされたときに、各透明ＥＬパネルの出射光を重合した光を照射し」とは、「前記複数の透明ＥＬパネルは、重ね合わされたときに、各透明ＥＬパネルの出射光を重合した光を照射し」の限度で共通する。 
  
　そうすると、両者は、本件特許発明１の用語を用いて表現すると、  
「透光性の基板上に透明導電膜から成る陽極、発光層及び透明導電膜から成る陰極を順に積層して成る透明のＥＬ素子で構成した複数の透明ＥＬパネルと、前記複数の透明ＥＬパネルの光出射領域が互いに重なり合うように前記透明ＥＬパネルを保持する器具本体と、を備え、 
　前記複数の透明ＥＬパネルは、重ね合わされたときに、各透明ＥＬパネルの出射光を重合した光を照射する照明装置。」の点で一致し、以下の点で相違する。 
 
〔相違点１〕  
　本件特許発明１は、「前記複数の透明ＥＬパネルは、互いに着脱自在となるよう構成され」るのに対し、 
　刊行物発明は、「前記複数の有機ＥＬデバイス１１，１２，１３の数を変更できるように構成され」る点。 
  
〔相違点２〕 
　本件特許発明１は、「透明のＥＬ素子がパネル枠に組み込まれて構成された複数の透明ＥＬパネル」であり、「各々の前記透明ＥＬパネルは、一方の面に陽極端子及び陰極端子が、他方の面に前記陽極端子及び陰極端子に夫々対応する端子受け部が設けられている」のに対し、 
　刊行物発明は、「複数の有機ＥＬデバイス１１，１２，１３」がパネル枠に組み込まれて構成されているか明らかでなく、また「有機ＥＬデバイス１１，１２，１３は、同一の駆動回路と接続し、互いに並列に接続されている」ものであるが、有機ＥＬデバイス１１，１２，１３を互いに並列に接続する際の具体的な電気的接続構造も明らかでない点。 
 　 
（イ）判断  
　事案に鑑み〔相違点２〕を先に検討する。 
　刊行物２には、先の１（２）の記載事項（２ａ）〜（２ｆ）及び【図１】〜【図４】の図示内容を総合すると、「透明基板４の上面に配置される発光素子３と該発光素子３を覆う下方に開口する容器状の本体部５ｂを有するカバー体５とからなる複数の発光パネルシステム１Ａ，２Ａを左右方向に並んで配置する接続構造において、複数の発光パネルシステム１Ａ，２Ａが、同一の駆動回路と接続し、互いに並列に接続さるものであり、各々の発光パネルシステム１Ａ，２Ａは、右端面に沿うように配置され上方に突となる形状に形成されている陽極端子６Ｂ及び陰極端子７Ｂが、左端面に沿うように前記陽極端子６Ｂ及び陰極端子７Ｂに夫々対応する正面視で略Ｌ字状をなしている陽極端子６Ａ及び陰極端子７Ａが設けられていること」が記載されている。（以下「刊行物２に記載されている事項」という。） 
　刊行物２に記載されている事項には、複数の発光パネルシステム１Ａ，２Ａが、同一の駆動回路と接続し、互いに並列に接続されている発光パネルシステムにおいて、各々の発光パネルシステム１Ａ，２Ａは、一方の面に陽極端子及び陰極端子が、他方の面に前記陽極端子及び陰極端子に夫々対応する端子受け部が設けられていることが開示されているといえる。 
  しかしながら、刊行物２に記載されている事項の「カバー体５」は「透明基板４の上面に配置される発光素子３」（本件特許発明１の「透明のＥＬ素子」に相当する。）を覆う形状であり、枠状ではないから本件特許発明１の「パネル枠」に相当するものとはいえない。また、当該「カバー体５」は文字どおり「発光素子３」をカバーするもの、つまり外部からの異物等の侵入を防止するためのものと考えられるから、「カバー体５」を枠状に設計変更することには阻害要因が存在する。
　したがって、刊行物発明に刊行物２に記載されている事項を適用しても相違点２に係る本件特許発明１の構造には至らないので、刊行物発明に刊行物２に記載されている事項を適用しても上記相違点２に係る本件特許発明１の発明特定事項とすることは、当業者が容易に想到し得たとはいえない。
　よって、他の相違点について判断するまでもなく、本件特許発明１は、当業者であっても刊行物発明及び刊行物２に記載されている事項に基いて容易に発明をすることができたとはいえない。
イ　本件特許発明２、４、６、７、１４〜１７について  
　本件特許発明２、４、６、７、１４〜１７は、本件特許発明１をさらに限定した発明であるから、本件特許発明１と同様に、当業者であっても刊行物発明及び刊行物２に記載されている事項に基いて容易に発明をすることができたとはいえない。
ウ　小括
  以上、検討したとおり、本件特許発明１、２、４、６、７、１４〜１７は、当業者であっても刊行物発明及び刊行物２に記載されている事項に基いて容易に発明をすることができたものではなく、特許法第２９条第２項の規定により特許を受けることができないとはいえないから、取消理由によっては、請求項１、２、４、６、７、１４〜１７に係る特許を取り消すことはできない。 
（２）取消理由通知において採用しなかった特許異議申立理由について 
（２−１）異議申立人が主張する特許異議申立理由の概要は、以下のとおりである。
ア　訂正前の請求項１、２、４〜７、１４〜１７に係る発明は、刊行物発明であるから、特許法第２９条第１項第３号に該当し、特許を受けることができない。 
イ　訂正前の請求項３に係る発明は、刊行物発明、刊行物２に記載されている事項に基いて、当業者が容易に発明をすることができたものであるから、特許法第２９条第２項の規定により特許を受けることができない。  
ウ　訂正前の請求項８、９に係る発明は、刊行物発明、刊行物２に記載されている事項及び甲第３号証（特開２００８−１８６５９９号公報）に記載されている事項に基いて、当業者が容易に発明をすることができたものであるから、特許法第２９条第２項の規定により特許を受けることができない。　
 
（２−２）当審の判断
ア　特許異議申立理由アについて
　第３．５．ア（ア）で述べたように、本件特許発明１と刊行物発明とは、〔相違点１〕及び〔相違点２〕で相違するから、本件特許発明１は刊行物発明ではない。
　本件特許発明２、４〜７、１４〜１７は、本件特許発明１をさらに限定した発明であるから、本件特許発明１と同様に刊行物発明ではない。
イ　特許異議申立理由イについて
　本件特許発明３は、本件特許発明１をさらに限定した発明であるから、本件特許発明１と同様に、当業者であっても刊行物発明及び刊行物２に記載されている事項に基いて容易に発明をすることができたとはいえない。
ウ　特許異議申立理由ウについて
（ア）本件特許発明８について 
ａ　対比 
　先の５．（１）ア（ア）に述べた対比関係を踏まえて、本件特許発明８と刊行物発明とを対比すると、
「透光性の基板上に透明導電膜から成る陽極、発光層及び透明導電膜から成る陰極を順に積層して成る透明のＥＬ素子で構成した複数の透明ＥＬパネルと、前記複数の透明ＥＬパネルの光出射領域が互いに重なり合うように前記透明ＥＬパネルを保持する器具本体と、を備える照明装置。」の点で一致し、以下の〔相違点３〕で相違する。
 
〔相違点３〕 
　本件特許発明８は、「前記複数の透明ＥＬパネルは、折り畳み自在に連結され、重ね合わされたときに、各透明ＥＬパネルの出射光を重合した光を照射する」構成を有しているのに対し、 
　刊行物発明は、かかる構成を備えていない点。 
  
ｂ　判断 
〔相違点３〕について 検討する。 
　甲第３号証の段落【００１６】、段落【００１７】及び段落【００２１】並びに【図１】を参酌すると、甲第３号証には「面発光部を有するメインパネル１に対して同じく面発光部を有する各サブパネル２，３，４を回動自在に支持すること」（以下「甲第３号証に記載されている事項」という。）が記載されているといえるが、メインパネル１及び各サブパネル２，３，４の出射光を重合した光を照射するものではないから、刊行物発明に刊行物２及び甲第３号証に記載されている事項を適用しても上記相違点３に係る本件特許発明８の構成に至らない。
　したがって、本件特許発明８は、当業者であっても刊行物発明、刊行物２及び甲第３号証に記載されている事項に基いて容易に発明をすることができたとはいえない。 
　
（イ）本件特許発明９について 
ａ　対比 
　先の５．（１）ア（ア）に述べた対比関係を踏まえて、本件特許発明９と刊行物発明とを対比すると、
「透光性の基板上に透明導電膜から成る陽極、発光層及び透明導電膜から成る陰極を順に積層して成る透明のＥＬ素子で構成した複数の透明ＥＬパネルと、前記複数の透明ＥＬパネルの光出射領域が互いに重なり合うように前記透明ＥＬパネルを保持する器具本体と、を備える照明装置。」の点で一致し、以下の〔相違点４〕で相違する。
〔相違点４〕 
　本件特許発明９は、「前記複数の透明ＥＬパネルは、前記器具本体に対して、回動自在に保持され、重ね合わされたときに、各透明ＥＬパネルの出射光を重合した光を照射する」構成を有しているのに対し、 
　刊行物発明は、かかる構成を備えていない点。 
  
ｂ　判断 
〔相違点４〕について 検討する。 
　上記〔相違点３〕で検討したとおり、甲第３号証に記載されている事項は、メインパネル１及び各サブパネル２，３，４の出射光を重合した光を照射するものではないから、刊行物発明に刊行物２及び甲第３号証に記載されている事項を適用しても上記相違点４に係る本件特許発明９の構成に至らない。
　したがって、本件特許発明９は、当業者であっても刊行物発明、刊行物２及び甲第３号証に記載されている事項に基いて容易に発明をすることができたとはいえない。
  
　以上のとおりであるから、特許異議申立人の主張は理由がない。 
第６．むすび 
　以上のとおりであるから、取消理由通知に記載した取消理由及び特許異議申立書に記載した特許異議申立理由によっては、本件特許を取り消すことはできない。 
　また、他に本件特許を取り消すべき理由を発見しない。 
　よって、結論のとおり決定する。 
【異議決定日】
平成２９年７月２４日（２０１７．７．２４）
【訂正の要旨】
審決（決定）の【理由】欄参照。
（５４）【発明の名称】
照明装置
　【技術分野】
　【０００１】
　本発明は、ＥＬ素子を用いた照明装置に関する。
　【背景技術】
　【０００２】
　エレクトロルミネッセンス（ＥＬ）素子は、発光層を陽極及び陰極で挟持させた発光部が透明基板上に形成されたものであり、電極間に電圧印加されたとき、発光層にキャリアとして注入された電子及びホールの再結合により生成された励起子によって発光する。
　【０００３】
　ＥＬ素子は、発光層の蛍光物質に有機物を用いた有機ＥＬ素子と、無機物を用いた無機ＥＬ素子に大別される。特に、有機ＥＬ素子は、低電圧で高輝度の発光が可能であり、蛍光物質の種類によって様々な発光色が得られ、また、平面発光体としての製造が容易であるという特性がある。
　【０００４】
　ＥＬ素子の平面発光体としての特性を利用したものとして、例えば、矩形状の有機ＥＬパネルの各辺に、これと同形状のサブパネルを回動可能に連結した照明装置が知られている（例えば、特許文献１参照）。この照明装置は、サブパネルを回動させることにより、フラット型や箱型といった好みの形態に変形させえることができる。また、タイル式フラットパネルをヒンジ式コネクタで互いに連結させた照明装置が知られている（例えば、特許文献２参照）。この照明装置によれば、複数のパネルの連結形状を変化させたり、それらを適宜に点灯させることにより、光が照射される範囲を適宜に調整することができる。
　【先行技術文献】
　【特許文献】
　【０００５】
　【特許文献１】特開２００８−１８６５９９号公報
　【特許文献２】特開２００５−５３６７０８号公報
　【発明の開示】
　【発明が解決しようとする課題】
　【０００６】
　しかしながら、上記特許文献１及び引用文献２に記載された照明装置は、複数のパネルの連結形状を変えることにより、光の照射範囲を変更することができるが、各パネルが個別に発光するので、照明装置の用途に応じて発光輝度を切り換えることはできない。
　【０００７】
　本発明は、上記課題を解決するものであって、照明装置の用途に応じて、ユーザが適宜に発光輝度を切り換えることができる照明装置を提供することを目的とする。
　【課題を解決するための手段】
　【０００８】
　上記課題を解決するため、本発明は、透光性の基板上に透明導電膜から成る陽極、発光層及び透明導電膜から成る陰極を順に積層して成る透明のＥＬ素子
がパネル枠に組み込まれて構成された
前記器具本体に対して
前記パネル枠の
前記パネル枠の
　【０００９】
　上記照明装置において、前記陽極端子及び陰極端子は、凸形状に夫々形成され、前記陽極端子及び陰極端子に夫々対応する前記端子受け部は、凹形状に夫々形成されていることが好ましい。
　【００１０】
　上記照明装置において、前記陽極端子及び陰極端子は、互いに異なる形状に形成され、前記陽極端子及び陰極端子に夫々対応する前記端子受け部は、前記陽極端子及び陰極端子に夫々対応する形状に形成されていることが好ましい。
　【００１１】
　上記照明装置において、前記器具本体は、前記複数の透明ＥＬパネルを収容する筐体を備えることが好ましい。
　【００１２】
　上記照明装置において、前記筐体は、該筐体の内面に設けた溝部に押さえ部材が嵌め込まれ、該押さえ部材が、前記透明ＥＬパネルを前記溝部で保持することが好ましい。
　【００１３】
　上記照明装置において、前記器具本体は、前記透明ＥＬパネルに対向する部分が、光反射性を有することが好ましい。
　【００１４】
　上記照明装置において、光反射層を有するＥＬパネルを更に備え、該光反射層を有するＥＬパネルが、重ね合わされた前記複数の透明ＥＬパネルの最外部に配置されることが好ましい。
　【００１５】
　本発明は、透光性の基板上に透明導電膜から成る陽極、発光層及び透明導電膜から成る陰極を順に積層して成る透明のＥＬ素子で構成した複数の透明ＥＬパネルと、前記複数の透明ＥＬパネルの光出射領域が互いに重なり合うように前記透明ＥＬパネルを保持する器具本体と、を備え、前記複数の透明ＥＬパネルは、折り畳み自在に連結され、重ね合わされたときに、各透明ＥＬパネルの出射光を重合した光を照射することを特徴とする。
　【００１６】
　本発明は、透光性の基板上に透明導電膜から成る陽極、発光層及び透明導電膜から成る陰極を順に積層して成る透明のＥＬ素子で構成した複数の透明ＥＬパネルと、前記複数の透明ＥＬパネルの光出射領域が互いに重なり合うように前記透明ＥＬパネルを保持する器具本体と、を備え、前記複数の透明ＥＬパネルは、前記器具本体に対して、回動自在に保持され、重ね合わされたときに、各透明ＥＬパネルの出射光を重合した光を照射することを特徴とする。
　【００１７】
　本発明は、透光性の基板上に透明導電膜から成る陽極、発光層及び透明導電膜から成る陰極を順に積層して成る透明のＥＬ素子で構成した複数の透明ＥＬパネルと、前記複数の透明ＥＬパネルの光出射領域が互いに重なり合うように前記透明ＥＬパネルを保持する器具本体と、を備え、前記複数の透明ＥＬパネルは、互いにスライド自在に構成され、重ね合わされたときに、各透明ＥＬパネルの出射光を重合した光を照射することを特徴とする。
　【００１８】
　上記照明装置において、前記器具本体は、前記透明ＥＬパネルのスライド方向に直交する方向に複数並設されたスライド溝を備えることが好ましい。
　【００１９】
　上記照明装置において、前記透明ＥＬパネルが、スライド扉の窓部に配設されていることが好ましい。
　【００２０】
　上記照明装置において、前記透明ＥＬパネルによって引き戸が構成されていることが好ましい。
　【００２１】
　上記照明装置において、前記複数の透明ＥＬパネルを個別に点灯制御する制御部を備えることが好ましい。
　【００２２】
　上記照明装置において、前記複数の透明ＥＬパネルは、夫々発光色が異なることが好ましい。
　【００２３】
　上記照明装置において、前記複数の透明ＥＬパネルの発光色は、ＲＧＢ三原色を含むことが好ましい。
　【００２４】
　上記照明装置において、前記複数の透明ＥＬパネルは、発光面の面積が互いに異なることが好ましい。
　【発明の効果】
　【００２５】
　本発明の照明装置によれば、重ね合わされる透明ＥＬパネルの個数を変更することにより、発光輝度を適宜に切り換えることができる。
　【図面の簡単な説明】
　【００２６】
　【図１】本発明の第１の実施形態に係る照明装置の分解斜視図。
　【図２】（ａ）（ｂ）は同照明装置の側断面図。
　【図３】同照明装置に用いられるＥＬ素子の概略構成を示す側断面図。
　【図４】（ａ）（ｂ）は同照明装置の他の構成を示す分解斜視図。
　【図５】同照明装置の他の構成を示す側断面図。
　【図６】同照明装置の他の構成を示す分解斜視図。
　【図７】同照明装置の他の構成を示す側断面図。
　【図８】（ａ）は同照明装置の他の構成を示す分解斜視図、（ｂ）は同側断面図。
　【図９】同照明装置の他の構成を示す分解斜視図。
　【図１０】同照明装置の他の構成を示す側断面図。
　【図１１】（ａ）（ｂ）は同照明装置の他の構成を示す分解斜視図。
　【図１２】同照明装置の他の構成を示す分解斜視図。
　【図１３】（ａ）（ｂ）は同照明装置の他の構成を示す分解斜視図。
　【図１４】（ａ）（ｃ）は本発明の第２の実施形態に係る照明装置の斜視図、（ｂ）（ｄ）（ｅ）（ｆ）は同側面図。
　【図１５】（ａ）（ｂ）は同照明装置の他の構成を示す斜視図。
　【図１６】（ａ）（ｂ）は同照明装置の他の構成を示す斜視図。
　【図１７】（ａ）（ｂ）は同照明装置の他の構成を示す斜視図。
　【図１８】（ａ）（ｂ）は同照明装置の他の構成を示す斜視図。
　【図１９】（ａ）（ｂ）は同照明装置の他の構成を示す斜視図。
　【図２０】（ａ）（ｂ）は同照明装置の他の構成を示す斜視図。
　【図２１】（ａ）（ｂ）は同照明装置の他の構成を示す斜視図。
　【図２２】（ａ）（ｂ）は同照明装置の他の構成を示す側面図、（ｃ）は同斜視図。
　【図２３】（ａ）（ｂ）は同照明装置の他の構成を示す斜視図。
　【図２４】（ａ）（ｂ）は本発明の第３の実施形態に係る照明装置の斜視図。
　【図２５】同照明装置の他の構成を示す斜視図。
　【図２６】（ａ）（ｂ）は本発明の第４の実施形態に係る照明装置の斜視図。
　【図２７】（ａ）（ｂ）は同照明装置の他の構成を示す斜視図。
　【図２８】（ａ）（ｂ）は同照明装置の他の構成を示す斜視図。
　【発明を実施するための形態】
　【００２７】
　本発明の第１の実施形態に係る照明装置について、図１乃至図３を参照して説明する。ここでは、本実施形態の照明装置１が、天井Ｃに埋め込まれる埋め込み式ダウンライトとして用いられる構成に基いて説明する。また、図面下方向を光導出方向とする。照明装置１は、図１及び図２（ａ）（ｂ）に示すように、複数の透明なＥＬパネル２と、これら複数のＥＬパネル２の光出射領域が互いに重なり合うようにＥＬパネル２を保持する器具本体３と、を備える。各ＥＬパネル２は、夫々同形状であり、互いに着脱自在となるよう構成される。
　【００２８】
　ＥＬパネル２は、円板状に形成された透明なＥＬ素子２０が、環状のパネル枠２１に組み込まれて、１個のモジュールとして構成されたものである。ＥＬ素子２０は、後述するように、透明であるので、ＥＬパネル２は、複数のものを重ね合わせた状態において、それ自体が発光して光を出射すると共に、他のＥＬパネル２から出射された光を透過する。従って、照明装置１が、ダウンライトとして用いられた場合、下段に重ね合わされたＥＬパネル２が、上段のＥＬパネル２の光を重合した光を照射する。
　【００２９】
　パネル枠２１には、一方の面に陽極端子２２ａ及び陰極端子２２ｂが、他方の面に陽極端子２２ａ及び陰極端子２２ｂに夫々対応する端子受け部２３ａ，２３ｂが設けられる。各端子２２ａ，２２ｂは凸形状に、また、端子受け部２３ａ，２３ｂは凹形状に形成され、各端子２２ａ，２２ｂが端子受け部２３ａ，２３ｂに嵌まり込むことにより、ＥＬパネル２同士が電気的に接続される。また、陽極端子２２ａと陰極端子２２ｂとは、夫々異なる形状に形成されており、陽極端子２２ａは、陰極用の端子受け部２３ｂに嵌まり込まないように、陰極端子２２ｂは、陽極用の端子受け部２３ａに嵌まり込まないように構成されている。図例では、陽極端子２２ａが円筒形状、陰極端子２２ｂがやや細長いタブレット形状に形成され、各端子受け部２３ａ，２３ｂもそれらに対応した形状に形成されている。こうすれば、ユーザが、複数のＥＬパネル２を重ね合わせるときに、夫々の端子を間違って接続してしまうことを防止できる。また、パネル枠２１には、ＥＬ素子２０の発光部（詳細は後述する）の位置を避けるように貫通孔２４が設けられ、この貫通孔２４に挿通されるネジ３１によって、ＥＬパネル２が、器具本体３に保持される。
　【００３０】
　器具本体３は、複数の透明ＥＬパネルを収容するための円筒形状の筐体３２と、筐体３２内を２つの収容空間に、ＥＬパネル２が当接する基部３３と、天井Ｃに当接する鍔部３４とを備える。複数のＥＬパネル２は、基部３３によって区分けされた筐体３２内の一方の空間に収容され、他方の空間には、ＥＬパネル２を点灯制御するための点灯回路や制御用のマイコン（制御部）等を内蔵した電源ユニット４が収容される。基部３３は、筐体３２の内周面に接着又は溶接により強固に固定されている。電源ユニット４は、導線４１によって商用電源（不図示）に接続される。器具本体３は、筐体３２の外面側に器具固定部材（不図示）が設けられ、この器具固定部材と鍔部３４とが天井Ｃを構成する板材を挟みこむことにより、器具本体３が天井Ｃに固定される。また、筐体３２の外面には、放熱性を向上させるための複数の放熱フィン（不図示）が設けられていてもよい。
　【００３１】
　基部３３には、ＥＬパネル２の端子受け部２３ａ，２３ｂと同形状の本体端子受け部３３ａ，３３ｂが設けられ、本体端子受け部３３ａ，３３ｂは、基部３３に設けられた回路配線（不図示）によって電源ユニット４に接続される。また、本体端子受け部３３ａ，３３ｂにＥＬパネル２の陽極端子２２ａ及び陰極端子２２ｂが夫々嵌り込むことにより、電源ユニット４とＥＬパネル２とが電気的に接続される。また、基部３３には、ＥＬパネル２を器具本体３に固定するため、ネジ３１が挿通されるネジ固定孔３３ｃが設けられている。なお、本例のように、ネジ３１でＥＬパネル２を器具本体３に固定する構成においては、用いられるＥＬパネル２の個数が少ないとき、ネジ３１が、基部３３の上方に大きく突出することがある。そのため、電源ユニット４及び導線４１等は、ネジ固定孔３３ｃが形成される位置を避けるように基部３３の上面側に配置されることが望ましい。
　【００３２】
　ＥＬ素子２０は、図３に示すように、透光性を有する基板２５上に、発光部２６を形成し、その外側を封止材２７で被覆した構成となっている。発光部２６は、透明導電膜から成る陽極２６ａ、発光機能を有する発光層２６ｂ、透明導電膜から成る陰極２６ｃを、順に基板２５上に積層形成したものである。陽極２６ａ及び陰極２６ｃを成す透明導電膜は、ＩＴＯ（酸化インジウムスズ）、ＳｎＯ２（酸化スズ）、ＺｎＯ（酸化亜鉛）等の透光性の導電材料で構成される。封止材２７は、透明な材料から構成され、各電極の一部が露出するように被覆され、これら電極の露出部は、直接又はリード線等を介して陽極端子２２ａ又は陰極端子２２ｂに電気的に接続される。
　【００３３】
　基板２５は、ソーダライムガラスや無アルカリガラス等の透光性ガラス、又は透光性樹脂材料等から成り、円板形状に形成されている。
　【００３４】
　陽極２６ａは、発光層２６ｂにホールを注入するための電極であり、仕事関数の大きい金属、合金、導電性化合物又はこれらの混合物から成る電極材料が用いられ、好ましくは、仕事関数が４ｅＶ以上のものが用いられる。特に、ＩＴＯ、ＳｎＯ２（酸化スズ）、ＺｎＯ（酸化亜鉛）等の透光性の導電材料が好ましい。陽極２６ａは、これらの電極材料を、基板２５の表面に、例えば、真空蒸着法やスパッタリング法等の方法により成膜及びパターニングすることによって形成される。
　【００３５】
　発光層２６ｂは、所望の白色光を発光させ得る有機蛍光材料が用いられ、例えば、アントラセン、ナフタレン、ピレン、テトラセン、コロネン、ペリレン、フタロペリレン、ナフタロペリレン、ジフェニルブタジエン、テトラフェニルブタジエン、クマリン、オキサジアゾール、ビスベンゾキサゾリン、ビススチリル、シクロペンタジエン、キノリン金属錯体、トリス（８−ヒドロキシキノリナート）アルミニウム錯体、トリス（４−メチル−８−キノリナート）アルミニウム錯体、トリス（５−フェニル−８−キノリナート）アルミニウム錯体、アミノキノリン金属錯体、ベンゾキノリン金属錯体、トリ−（ｐ−ターフェニル−４−イル）アミン、１−アリール−２，５−ジ（２−チエニル）ピロール誘導体、ピラン、キナクリドン、ルブレン、ジスチルベンゼン誘導体、ジスチルアリーレン誘導体、及びこれらの発光性化合物から成る基を分子構造の一部に有する化合物、高分子材料、各種蛍光色素の混合材料等が用いられる。
　【００３６】
　発光層２６ｂは、陽極２６ａの表面に上述した化合物を、例えば、真空蒸着法により成膜及びパターニングすることによって形成される。なお、発光層２６ｂは、複数の異なる材料が積層されたものであってもよく、これら複数層の間に電位を調整するためのバッファ層を介在させてもよい。
　【００３７】
　陰極２６ｃは、発光層２６ｂに電子を注入するための電極であり、陽極２６ａと同様に、ＩＴＯ、ＳｎＯ２、ＺｎＯ等の透光性の導電材料によって形成される。また、陰極２６ｃも陽極２６ａと同様の方法により形成される。なお、陽極２６ａ及び発光層２６ｂの間には、陽極２６ａから発光層２６ｂへのホール注入効果を促進するホール注入・輸送層（不図示）が設けられてもよい。また、発光層２６ｂ及び陰極２６ｃの間には、好ましくは、陰極２６ｃから発光層２６ｂへの電子注入効果を促進する電子注入・輸送層（図示せず）が設けられる。
　【００３８】
　このように構成されたＥＬ素子２０においては、パネル枠２１の各端子２２ａ，２２ｂ（図１及び図２参照）を介して、陽極２６ａ及び陰極２６ｃに所定の電力が供給されることにより、発光層２６ｂが発光する。発光した光は、陽極２６ａ及び陰極２６ｃを透過してＥＬ素子２０外へ取り出される。なお、ＥＬ素子２０の上面には、基板２５からの光取り出し効率を高めるための拡散層（不図示）等が、透明性を損じない程度に設けられてもよい。
　【００３９】
　本実施形態の照明装置１によれば、複数のＥＬパネル２が、器具本体３に対して着脱自在となっているので、重ね合わされるＥＬパネル２の個数を容易に変更することができる。そして、照明装置１の発光輝度を大きくする場合は、重ね合わされるＥＬパネル２の個数を多くし、発光輝度を小さくする場合は、重ね合わされるＥＬパネル２の個数を少なくする。こうすれば、照明装置１の用途に応じて、ユーザが適宜に、照明装置１の発光輝度を切り換えることがきる。また、ＥＬパネル２は、夫々同一形状にモジュール化されているので、製造者にとっては、型番数を少なくすることができ、製造効率を向上させることができる。また、ユーザにとっては、器具本体に適合する型番のものを探す必要がないので、製品を手間無く購入することができる。
　【００４０】
　基部３３のうち、ＥＬパネル２に対向する部分は、白色塗料の塗布される、又は反射膜等が形成される等によって光反射性を有するように構成されることが好ましい。こうすれば、ＥＬパネル２から、基部３３の方へ出射された光が、基部３３の表面で反射されて光導出方向へ向かうので、光利用効率を向上させることができる。
　【００４１】
　また、ＥＬパネル２と同じ形状に形成され、陰極２６ｃにアルミニウム等の光反射性材料を用いることにより、光反射性を有するように構成された反射性ＥＬパネル（不図示）を、重ね合わされた複数のＥＬパネル２の最外部に、別個配置してもよい。本例においては、基部３３と当接する位置に、光反射性ＥＬパネルが配置される。こうすれば、上記と同様に、基部３３の方へ出射された光が反射されて、光導出方向へ向かうので、光利用効率を向上させることができる。
　【００４２】
　また、各端子２２ａ，２２ｂ及び端子受け部２３ａ，２３ｂに、複数の電気回路が内装され、重ね合わされた複数のＥＬパネル２が夫々独立して電源ユニット４の制御部に接続され、各ＥＬパネル２が個別に点灯制御されるように構成されることが好ましい。こうすれば、重ね合わされたＥＬパネル２のうち、点灯させるＥＬパネル２の個数を変更することにより、ＥＬパネル２を取り外すことなく、発光輝度を任意に切り換えることができる。また、例えば、発光輝度を小さくする場合、下段側のＥＬパネル２を点灯させる。すなわち、上段のＥＬパネル２から出射された光は、下段のＥＬパネル２を透過する際に、全反射等によって僅かながら損失する。従って、下段側のＥＬパネル２から優先的に点灯させることにより、他のＥＬパネル２を透過することによる光の損失を抑制でき、光利用（光取り出し）効率を向上させることができる。
　【００４３】
　また、複数のＥＬパネル２は、夫々発光色が異なるように構成されていてもよい。この場合、例えば、複数のＥＬパネル２の発光色は、ＲＧＢ三原色を含むように構成される。この構成においては、各ＥＬパネル２の出力を調整することにより、白色光を含むフルカラー照明が可能となり、例えば、照明装置１が用いられる空間のシチェーションに応じて、照射光の演色性を変化させるような照明演出を行なうことができる。
　【００４４】
　次に、本実施形態の照明装置１の他の構成について、特に、ＥＬパネル２の保持構造や、ＥＬパネル２及び器具本体３の形状、及び上述した埋め込み式ダウンライト以外の形態等について、図４乃至図１３を参照して説明する。
　【００４５】
　図４（ａ）（ｂ）は、ＥＬパネル２を筐体３２内に保持するための保持枠が設けられた構成を示す。図４（ａ）に示す構成は、器具本体３の鍔部３４と同形状に形成された環状の保持枠５１を備えたものである。鍔部３４及び保持枠５１の双方にネジ孔３４ａ，５１ａが形成され、このネジ孔３４ａ，５１ａにネジ３１を挿通させることにより、鍔部３４と保持枠５１とが接合される。また、筐体３２内には、弾性を有し、ＥＬパネル２のパネル枠２１と略同形状に形成された環状の間隔調整部材５２が配置される。つまり、ＥＬパネル２は、基部３３と保持枠５１に挟まれた空間において、弾性を有する間隔調整部材５２によって押圧されることにより、器具本体３内に保持される。
　【００４６】
　また、図４（ｂ）に示す構成は、ＥＬパネル２の外径よりも僅かに大きな内径の筒部５３ａと、ＥＬ素子２０と略同形状の開口が形成された縁部５３ｂとを有する保持枠５３を備えたものである。筐体３２の内周面にはネジ溝が形成され、このネジ溝に対応するように、筒部５３ａの外周面にもネジ溝が形成されている。そして、筒部５３ａを筐体３２にネジ挿入することにより、保持枠５３が器具本体３に固定される。その結果、ＥＬパネル２は、基部３３と縁部５３ｂに挟まれた空間において、器具本体３内に保持される。なお、図４（ａ）に示した構成と同様に、間隔調整部材５２が適宜に配置されてもよい。また、保持枠５３に換えて、筐体３２の内周面に形成されたネジ溝に、このネジ溝の周径よりも僅かに大きな周径の環状バネ（不図示）を嵌め込み、この環状バネでＥＬパネル２を保持してもよい。
　【００４７】
　図５は、筐体３２の内周面に、ＥＬパネル２の厚みと同じ幅で複数の溝部３５が形成され、溝部３５に、押さえ部材として、バネ片５４の一部が嵌め込まれ、このバネ片５４によってＥＬパネル２が保持される構成を示す。バネ片５４は、溝部３５に嵌め込まれた状態で、溝部３５から突出した部分が、基部３３側へ付勢されるように形成されている。そして、この付勢されたバネ片５４が、ＥＬパネル２のパネル枠２１の下面側を支持することによって、ＥＬパネル２はバネ片５４が嵌め込まれた位置で筐体３２内に保持される。この構成においては、パネル枠２１にバネ受け部（不図示）が形成されていることが望ましい。なお、上述した構成は、ＥＬパネル２が円板形状で、筐体３２が筒形状のものを示したが、図６に示すように、ＥＬパネル２が矩形状で、筐体３２が箱型形状であってもよい。この場合、各ＥＬパネル２を保持する構造として、上記図４（ａ）及び図５に示した構成を用いることができる。
　【００４８】
　また、本実施形形態の照明装置１は、上述した天井埋め込み型のダウンライトに限らず、例えば、図７に示すように、床面Ｆに埋め込まれる埋め込み型照明器具として用いることができる。この構成においては、各ＥＬパネル２は、各端子２２ａ，２２ｂ及び各端子受け部２３ａ，２３ｂ，３３ａ，３３ｂによって位置決めされ、自重によって器具本体３に保持されるので、別段の保持構造を要しない。この埋め込み型の照明装置１は、鍔部３４が床面Ｆに埋め込まれて、床面Ｆ上に突出しないように設置される。また、鍔部３４には、ＥＬパネル２を保護するための保護カバー３６が取り付けられる。
　【００４９】
　図８（ａ）（ｂ）は、照明装置１がシーリングライトとして用いられる構成を示す。この構成においては、器具本体３がネジ３１によって直接的に天井Ｃに固定される。また、器具本体３及びＥＬパネル２のパネル枠２１の下面には、円穴と長穴とを組み合わせたダルマ穴形状の端子受け部２３ａ，２３ｂ，３２ａ，３２ｂが形成される。一方、器具本体３及びＥＬパネル２のパネル枠２１の下面には、ネジ頭形状の各端子２２ａ，２２ｂが形成される。そして、端子受け部２３ａ，２３ｂ，３２ａ，３２ｂの円穴部分に、各端子２２ａ，２２ｂを通した後、取り付けようとするＥＬパネル２を僅かに回転させる。これにより、ネジ頭形状の各端子２２ａ，２２ｂが、端子受け部２３ａ，２３ｂ，３２ａ，３２ｂの長穴部分に係合し、器具本体３及びＥＬパネル２、又はＥＬパネル２同士が固定される。この構成によれば、別途の保持部材を用いずに、器具本体３にＥＬパネル２を取り付けられ、上段のＥＬパネル２に、直接的に下段のＥＬパネル２を取り付けることができる。なお、重ね合わされるＥＬパネル２のうち、最下段には、端子受け部２３ａ，２３ｂが設けられていないＥＬパネル２ａを取り付けることが望ましい。
　【００５０】
　また、シーリングライトにおいても、図９に示すように、矩形のＥＬパネル２を用いることができる。この場合、器具本体３の側部にフック部材５５を設け、このフック部材５５によってＥＬパネル２が保持されるように構成されてもよい。また、図示したように、角枠５６をフック部材５５に係止させ、角枠５６及び器具本体３でＥＬパネル２を挟持することにより、ＥＬパネル２が保持されるように構成されてもよい。
　【００５１】
　図１０は、器具本体３が、囲い枠５７の底面を介して天井Ｃに固定され、この囲い枠５７内にＥＬパネル２が保持されるように構成されたものである。具体的な保持構造は、上述したいずれかのものが用いられる。また、この場合においても、図１１（ａ）（ｂ）に示すように、円形及び矩形のいずれのＥＬパネル２が用いられてもよい。
　【００５２】
　更に、複数のＥＬパネル２は、発光面の面積が互いに異なるものであってもよい。この場合、図１２に示すように、上段に発光面の面積が大きなＥＬパネル２が取り付けられ、下段になる程、順次発光面の面積が小さなＥＬパネル２が取り付けられることが望ましい。また、この構成においては、器具本体３及び各ＥＬパネル２間の電気的接続は、例えば、リード線等によってなされる。
　【００５３】
　図１３（ａ）（ｂ）は、照明装置１がスポットライトとして用いられる構成を示す。この構成においては、器具本体３が支持軸５８を介して天井Ｃに固定されると共に、器具本体３と支持軸５８との間にヒンジ部６１が設けられ、器具本体３が首振り自在となっている。この構成においても、重ね合わされるＥＬパネル２は、図１３（ａ）に示す円形であっても、図１３（ｂ）に示す矩形であってもよい。また、各ＥＬパネル２は、器具本体３の筐体３２内に内装されるものであってもよいし、筐体３２外へ積層されるものであってもよい。
　【００５４】
　次に、本発明の第２の実施形態に係る照明装置について、図１４乃至図２３を参照して説明する。本実施形態の照明装置１は、複数のＥＬパネル２が、折り畳み自在に連結され、重ね合わされたときに、各ＥＬパネル２の出射光を重合した光を照射するものである。
　【００５５】
　図１４（ａ）乃至（ｆ）は、照明装置１が、天井Ｃに取り付けられるシーリングライトとして用いられる構成を示す。この照明装置１は、天井Ｃに固定される台座部３７（器具本体３）に、筒状の軸受け部６２を介して一対の支持部材６３が接合され、各支持部材６３に夫々ＥＬパネル２が固定されている。軸受け部６２は、折り曲げ軸（不図示）を内装し、一対の支持部材６３及びＥＬパネル２を、０〜１８０°の範囲で折り曲げ自在とする。支持部材６３は、軸受け部６２との接合部と反対側の側面にパネル挿入溝６４が形成されている。台座部３７又は軸受け部６２には、電源ユニット（不図示）が内装され、支持部材６３のパネル挿入溝の内部に形成された端子受け部（不図示）とリード線等によって電気的に接続されている。また、ＥＬパネル２の側部に電極端子（不図示）が設けられ、パネル挿入溝６４にＥＬパネル２が差し込まれることにより、ＥＬパネル２が支持部材６３に固定されると共に、電源ユニットと電気的に接続される。また、この構成は、図１５（ａ）（ｂ）に示すように、支持軸５８による吊り下げ式のシーリングライトとして用いることもできる。この場合、照明装置１は、台座部３７に換えて、支持軸５８を介して天井Ｃに固定される。
　【００５６】
　本実施形態においては、図１４（ａ）（ｂ）、図１５（ａ）に示すように、各ＥＬパネル２を水平配置にすれば、広い範囲に、低輝度の光を照射することができる。また、ＥＬパネル２は両面から光を出射するので、天井Ｃ方向及び床方向の両方に光を照射することができる。また、図１４（ａ）（ｂ）、図１５（ｂ）に示すように、各ＥＬパネル２を垂直配置にすれば、狭い範囲に高輝度の光を照射することができる。更に、図１４（ｅ）（ｆ）に示すように、各ＥＬパネル２の折り曲げ角度は任意であり、この折り曲げ角度を変えることにより、光の照射範囲及び輝度をユーザが任意に変更することができる。
　【００５７】
　図１６乃至図１８は、照明装置１が、スタンドライトとして用いられる構成を示す。図１６（ａ）（ｂ）は、Ｌ字形状に屈曲した支持アーム５９が、器具本体３に対して回転自在に立設され、この支持アーム５９の上辺にヒンジ部６１を介して一対のＥＬパネル２が取り付けられた構成を示す。また、図１７（ａ）（ｂ）は、矩形状のＥＬパネル２の一辺が器具本体３に対して角度可変に取り付けられ、他辺がヒンジ部６１を介して別のＥＬパネル２と連結されている構成を示す。なお、図１８（ａ）（ｂ）に示すように、連結される各ＥＬパネル２が互いに異なる形状であってもよい。この構成によれば、図１６（ａ）、図１７（ａ）、図１８（ａ）に示すように、各ＥＬパネル２の折り曲げ角度を１８０°にすれば、広い範囲に低輝度の光を照射することができる。また、図１６（ｂ）、図１７（ｂ）、図１８（ｂ）に示すように、各ＥＬパネル２を重ね合わせれば、狭い範囲に高輝度の光を照射することができる。なお、図１６（ａ）（ｂ）における白抜矢印は、ＥＬパネル２からの照射光の輝度の変化をイメージとして示したものである。
　【００５８】
　図１９乃至図２３は、照明装置１が、２つ以上の折り曲げ部を有する構成を示す。図１９及び図２０は、図１４及び図１５で示したシーリングライトと同様のものであり、器具本体３に対して、２枚のＥＬパネル２が夫々ヒンジ部６１を介して取り付けられた構成を示す。図１９（ａ）（ｂ）は、器具本体３が天井Ｃに固定されている構成を示し、図２０（ａ）（ｂ）は、支持軸５８による吊り下げ式の構成を示す。図２０（ａ）（ｂ）に示す構成においては、器具本体３と天井とが離れているので、ヒンジ部６１は、図示したように、器具本体３の側部に設けられることが望ましい。こうすれば、より広い範囲で各ＥＬパネル２を回動させることができる。
　【００５９】
　図２１（ａ）（ｂ）は、床面Ｆに載置された台座部３７（器具本体３）に支持軸５８が立設され、支持軸５８の上端に上底部６５が配置されると共に、上底部６５に夫々ヒンジ部６１を介して一対のＥＬパネル２が取り付けられている構成を示す。この構成によれば、図２１（ａ）に示すように、ＥＬパネル２を広げた状態にすれば、照明を兼ねたテーブルとして機能させることができる。また、図２１（ｂ）に示すように、ＥＬパネル２を畳んだ状態にすれば、メッセージボードとして機能させることができる。
　【００６０】
　図２２（ａ）乃至（ｃ）は、照明装置１が、フロアスタンドライトとして用いられる構成を示す。この照明装置１は、床面Ｆ上の台座部３７（器具本体３）に長尺の支持軸５８が立設され、支持軸５８の上端にＥＬパネル２が水平に配置されると共に、このＥＬパネル２の対向する辺に接続部６６ａ，６６ｂを介して夫々ＥＬパネル２が設けられたものである。各接続部６６ａ，６６ｂはヒンジを内蔵し、各ＥＬパネル２を折り曲げ自在に連結する。また、一方の接続部６６ｂは、他方の接続部６６ａよりもＥＬパネル２の厚み分長く形成されているので、図２２（ｂ）に示すように、接続部６６ａによって接続されたＥＬパネル２を折り畳んだ後、接続部６６ｂによって接続されたＥＬパネル２をスムーズに折り畳むことができる。
　【００６１】
　図２３（ａ）（ｂ）は、複数のＥＬパネル２が複数のヒンジ部６１を介して連結された構成を示す。各ＥＬパネル２は、図２３（ａ）に示すような同形状であってもよいし、図２３（ｂ）に示すように夫々異なる形状であってもよい。この照明装置１は、上述した構成と同様に、ヒンジ部６１の折り曲げ角度を変えることにより、光の照射範囲及び輝度をユーザが任意に変更することができる。また、図例のように折り曲げたときは、「光る屏風」として利用することができる。
　【００６２】
　次に、本発明の第３の実施形態に係る照明装置について、図２４及び図２５を参照して説明する。本実施形態の照明装置１は、複数のＥＬパネル２は、器具本体３に対して、回動自在に保持され、重ね合わされたときに、各ＥＬパネル２の出射光を重合した光を照射するものである。
　【００６３】
　図２４（ａ）（ｂ）は、照明装置１が、スタンドライトとして用いられる構成を示す。この照明装置１は、Ｌ字形状に屈曲した２本の支持アーム５９が、器具本体３に対して夫々回転自在に立設され、支持アーム５９の屈曲部の先端に夫々ＥＬパネル２が取り付けられたものである。各支持アーム５９の高さが、ＥＬパネル２の厚み分夫々異なり、また屈曲部の長さも、器具本体３への立設位置に応じて異なり、図２４（ｂ）に示すように、一方のＥＬパネル２を、他方のＥＬパネル２に重ね合わすことができるように構成される。また、図２５は、照明装置１が、シャンデリア型照明として用いられる構成を示す。図例では、３枚のＥＬパネル２を取り付けた例を示すが、４枚以上のＥＬパネル２が取り付けられてもよい。この構成によれば、ＥＬパネル２を器具本体３に対して回動させることにより、上述した実施形態と同様に、光の照射範囲及び輝度をユーザが任意に変更することができる。
　【００６４】
　次に、本発明の第４の実施形態に係る照明装置について、図２６乃至図２８を参照して説明する。本実施形態の照明装置１は、複数のＥＬパネル２が、互いにスライド自在に構成され、重ね合わされたときに、各ＥＬパネル２の出射光を重合した光を照射するものである。
　【００６５】
　図２６（ａ）（ｂ）は、照明装置１が、スタンドライトとして用いられる構成を示す。この照明装置１は、器具本体３に対してヒンジ部６１を介してＥＬパネル２が角度可変に取り付けられ、このＥＬパネル２の両側部に一対のスライドレール３８が設けられている。そして、スライドレール３８によって別のＥＬパネル２がスライド自在に保持されている。この構成によれば、図２６（ａ）に示すように、スライド自在となったＥＬパネル２を、スライドレールの先端方向にスライドさせれば、広い範囲に、低輝度の光を照射することができる。また、図２６（ｂ）に示すように、各ＥＬパネル２を重ね合わせれば、狭い範囲に高輝度の光を照射することができる。
　【００６６】
　図２７（ａ）（ｂ）は、照明装置１が、吊り下げ式のシーリングドライトとして用いられる構成を示す。この照明装置１は、器具本体３の内側面に、ＥＬパネル２のスライド方向に直交する方向に複数並設されたスライド溝３９を備えるものである。各ＥＬパネル２は、ＥＬパネル２の厚み分、異なる高さで器具本体３に保持されているので、スライド溝３９に沿ってＥＬパネル２をスライドさせることにより、図２７（ａ）に示すように、広い範囲に、低輝度の光を照射することができる。また、図２７（ｂ）に示すように、各ＥＬパネル２を重ね合わせれば、狭い範囲に高輝度の光を照射することができる。
　【００６７】
　図２８（ａ）は、ＥＬパネル２が、スライド扉７の窓部に配設されている構成を示す。スライド扉７を保持するスライド枠７１には、給電線が内装され（不図示）、この給電線からＥＬパネル２へ電力が供給される。この構成において、ＥＬパネル２は、光を透過するので、消灯時は採光用の窓として機能し、点灯時は照明器具として機能する。また、スライド扉７をスライドさせて、ＥＬパネル２を重ね合わせることにより、上述した構成と同様に、高輝度の光を照射することができる。また、図２８（ｂ）は、ＥＬパネル２によって収納家具８の引き戸８１が構成された例を示す。この構成においても、上述した構成と同様に、ＥＬパネル２をスライドさせることにより、光の照射範囲と輝度とを、ユーザが適宜に変更することができる。
　【００６８】
　なお、本発明は、上述の実施形態に限られることなく種々の変形が可能である。ＥＬパネル２は、直径又は一辺の寸法が比較的小さく、例えば、２００ｍｍ程度であれば、面一の発光部２６（図３参照）により構成される。しかし、それ以上の寸法の場合、電圧降下による光ムラが生じないように、複数の発光部２６が格子状に配列されたものを用いることが好ましい。また、その場合、複数の発光部２６が、夫々個別に制御可能なように配線等の設計がなされることが更に好ましい。
　【符号の説明】
　【００６９】
　１　　照明装置
　２　　ＥＬパネル（透明ＥＬパネル）
　２２ａ　　陽極端子
　２２ｂ　　陰極端子
　２３ａ　　（陽極陽）端子受け部
　２３ｂ　　（陰極用）端子受け部
　３　　器具本体
　３２　　筐体
　３３　　基部（ＥＬパネルに対向する部分）
　３５　　溝部
　３９　　スライド溝
　４　　電源ユニット（制御部）
　５４　　バネ片（押さえ部材）
　７　　スライド扉
　８１　　引き戸
（５７）【特許請求の範囲】
　【請求項１】
　透光性の基板上に透明導電膜から成る陽極、発光層及び透明導電膜から成る陰極を順に積層して成る透明のＥＬ素子
がパネル枠に組み込まれて構成された
　前記複数の透明ＥＬパネルは、
前記器具本体に対して
　各々の前記透明ＥＬパネルは、
前記パネル枠の
前記パネル枠の
　【請求項２】
　前記陽極端子及び陰極端子は、凸形状に夫々形成され、前記陽極端子及び陰極端子に夫々対応する前記端子受け部は、凹形状に夫々形成されていることを特徴とする請求項１に記載の照明装置。
　【請求項３】
　前記陽極端子及び陰極端子は、互いに異なる形状に形成され、前記陽極端子及び陰極端子に夫々対応する前記端子受け部は、前記陽極端子及び陰極端子に夫々対応する形状に形成されていることを特徴とする請求項２に記載の照明装置。
　【請求項４】
　前記器具本体は、前記複数の透明ＥＬパネルを収容する筐体を備えることを特徴とする請求項２又は請求項３に記載の照明装置。
　【請求項５】
　前記筐体は、該筐体の内面に設けた溝部に押さえ部材が嵌め込まれ、該押さえ部材が、前記透明ＥＬパネルを前記溝部で保持することを特徴とする請求項４に記載の照明装置。
　【請求項６】
　前記器具本体は、前記透明ＥＬパネルに対向する部分が、光反射性を有することを特徴とする請求項２乃至請求項５のいずれか一項に記載の照明装置。
　【請求項７】
　光反射層を有するＥＬパネルを更に備え、該光反射層を有するＥＬパネルが、重ね合わされた前記複数の透明ＥＬパネルの最外部に配置されることを特徴とする請求項２乃至請求項５のいずれか一項に記載の照明装置。
　【請求項８】
　透光性の基板上に透明導電膜から成る陽極、発光層及び透明導電膜から成る陰極を順に積層して成る透明のＥＬ素子で構成した複数の透明ＥＬパネルと、前記複数の透明ＥＬパネルの光出射領域が互いに重なり合うように前記透明ＥＬパネルを保持する器具本体と、を備え、
　前記複数の透明ＥＬパネルは、折り畳み自在に連結され、重ね合わされたときに、各透明ＥＬパネルの出射光を重合した光を照射することを特徴とする照明装置。
　【請求項９】
　透光性の基板上に透明導電膜から成る陽極、発光層及び透明導電膜から成る陰極を順に積層して成る透明のＥＬ素子で構成した複数の透明ＥＬパネルと、前記複数の透明ＥＬパネルの光出射領域が互いに重なり合うように前記透明ＥＬパネルを保持する器具本体と、を備え、
　前記複数の透明ＥＬパネルは、前記器具本体に対して、回動自在に保持され、重ね合わされたときに、各透明ＥＬパネルの出射光を重合した光を照射することを特徴とする照明装置。
　【請求項１０】
　透光性の基板上に透明導電膜から成る陽極、発光層及び透明導電膜から成る陰極を順に積層して成る透明のＥＬ素子で構成した複数の透明ＥＬパネルと、前記複数の透明ＥＬパネルの光出射領域が互いに重なり合うように前記透明ＥＬパネルを保持する器具本体と、を備え、
　前記複数の透明ＥＬパネルは、互いにスライド自在に構成され、重ね合わされたときに、各透明ＥＬパネルの出射光を重合した光を照射することを特徴とする照明装置。
　【請求項１１】
　前記器具本体は、前記透明ＥＬパネルのスライド方向に直交する方向に複数並設されたスライド溝を備えることを特徴とする請求項１０に記載の照明装置。
　【請求項１２】
　前記透明ＥＬパネルが、スライド扉の窓部に配設されていることを特徴とする請求項１０又は請求項１１に記載の照明装置。
　【請求項１３】
　前記透明ＥＬパネルによって引き戸が構成されていることを特徴とする請求項１０又は請求項１１に記載の照明装置。
　【請求項１４】
　前記複数の透明ＥＬパネルを個別に点灯制御する制御部を備えることを特徴とする請求項１乃至請求項１３のいずれか一項に記載の照明装置。
　【請求項１５】
　前記複数の透明ＥＬパネルは、夫々発光色が異なることを特徴とする請求項１乃至請求項１４のいずれか一項に記載の照明装置。
　【請求項１６】
　前記複数の透明ＥＬパネルの発光色は、ＲＧＢ三原色を含むことを特徴とする請求項１乃至請求項１５のいずれか一項に記載の照明装置。
　【請求項１７】
　前記複数の透明ＥＬパネルは、発光面の面積が互いに異なることを特徴とする請求項１乃至請求項１６のいずれか一項に記載の照明装置。